(57)【要約】【課題】ガード本体と芯材を簡単な操作で確実に止着することのできる装置を提供する。【解決手段】長手方向に沿う両端間にスリット状にして出入間隙を設けた円筒状のガード本体２と、支線に止着し、しかも、前記ガード本体２の内側に前記出入間隙を通じて収納した芯材１とを留め具５で互いに止着するようにした電柱用支線ガードにおいて、前記ガード本体２に設けた透孔９と該透孔９に一致させ、しかも、中央の仕切り壁７を両側面７ａにテーパを設けて芯材半径方向に漸次壁厚を厚くして中央仕切り状にして前記芯材１に設けた透孔６に、頭部１０に二又状の挿着片１１を連設して構成した留め具５の前記挿着片１１を、ガード本体側の前記透孔９側から嵌挿して前記仕切壁で拡開された前記挿着片１１の分岐部片１１ａを芯材側の前記透孔６に係止する。【選択図】    図２
2005009131.tif 000002
【特許請求の範囲】
【請求項１】
長手方向に沿う両端間にスリット状にして出入間隙を設けた円筒状のガード本体と、支線に止着し、しかも、前記ガード本体の内側に前記出入間隙を通じて収納した芯材とを留め具で互いに止着するようにした電柱用支線ガードにおいて、前記ガード本体に設けた透孔と該透孔に一致させ、しかも、中央の仕切り壁を両側面にテーパを設けて芯材半径方向に漸次壁厚を厚くして中央仕切り状にして前記芯材に設けた透孔に、頭部に二又状の挿着片を連設して構成した留め具の前記挿着片を、ガード本体側の前記透孔側から嵌挿して前記仕切壁で拡開された前記挿着片の分岐部片を芯材側の前記透孔に係止した、ガード本体と芯材の止着装置。
【発明の詳細な説明】
【０００１】
【産業上の利用分野】
本発明は、電柱用支線ガードにおけるガード本体と芯材の止着装置に関するものである。
【０００２】
【従来の技術】
ガード本体と芯材に設けたそれぞれの透孔を一致させ、これらにガード本体の透孔側から嵌挿して組合わせたスリットを設けた割筒に挿着ピンを嵌挿して前記割筒を拡開させ芯材側の透孔に係止するようにした構造のものがある（例えば、特許文献１）。
【０００３】
【特許文献１】
特開２００３−１３４６４９号公報
【０００４】
【発明が解決しようとする課題】
前記従来例は、留め具を２部材で構成するため、ガード本体等に対しては割筒の組付けと挿着ピンの組付けの二重の操作を行わなければならないので止着操作が煩雑であり、また、２部材を要するためコスト高となり、その分紛失のおそれがあり、在庫管理上も煩雑となる。
【０００５】
本発明は、ガード本体と芯材を単一なもので止着でき、しかも、止着操作上不都合のない装置を提供すべく創案したものである。
【０００６】
【課題を解決するための手段】
長手方向に沿う両端間にスリット状にして出入間隙を設けた円筒状のガード本体と、支線に止着し、しかも、前記ガード本体の内側に前記出入間隙を通じて収納した芯材とを留め具で互いに止着するようにした電柱用支線ガードにおいて、前記ガード本体に設けた透孔と該透孔に一致させ、しかも、中央の仕切り壁を両側面にテーパを設けて芯材半径方向に漸次壁厚を厚くして中央仕切り状にして前記芯材に設けた透孔に、頭部に二又状の挿着片を連設して構成した留め具の前記挿着片を、ガード本体側の前記透孔側から嵌挿して前記仕切壁で拡開された前記挿着片の分岐部片を芯材側の前記透孔に係止した構成としたものである。
【０００７】
【発明の実施の形態】
図面は本発明に係る電柱用支線ガードにおけるガード本体と芯材の止着装置の一実施形態を示し、図１は図５のａ−ａ線断面図、図２は図１のｂ−ｂ線断面図、図３は留め具を装着する前の状態の図１のｂ−ｂ線断面図、図４は芯材側の透孔の正面図、図５は使用状態の支線ガードの正面図である。
【０００８】
本発明を適用した支線ガードＡは、上端を電柱Ｄに接続し、下端を図示省略したアンカーに接続した前記電柱Ｄの支線ｓの適所に止着した芯材１，１，１と、該芯材１，１，１に該芯材１を取り囲むようにして組付けたガード本体２とで構成するもので、芯材１は中央部に前記支線ｓを挟持して該支線ｓに止着するための止着部３を備えた中空欠円体で成り、前記止着部３を介して相対する一対の周壁部片４，４には留め具５の挿着片１１を挿着するための透孔６を設けたものである。
【０００９】
透孔６は、中央に仕切り壁７を設けた一対の半円状の透孔部６Ａ，６Ａで成る中央仕切り状の円形孔６で成り、仕切り壁７を、全体としては欠円状の芯材１の半径方向に両側面７ａ，７ａにテーパを設けて壁厚を漸次厚くしたものである。
【００１０】
前記ガード本体２は、長手方向に沿う（前記支線ａに沿う）両端間にスリット状にして前記芯材１や支線ｓの出入間隙８を設けた円筒体で成り、その周側に芯材１側の前記透孔６と一致する位置にして透孔９，９を設けたものである。
【００１１】
そして、このガード本体２の前記透孔９と該ガード本体２内に前記出入間隙８を利用してガード本体２内に収納した前記芯材１の透孔６とを互いに一致させ、これらに前記挿着片５を挿着して芯材１とガード本体２を互いに組付け、出入間隙８を通じて前記止着部３に前記支線ｓを相対的に係合して止着部３によって該支線ｓに止着し、出入間隙８を介するガード本体２の両端間に出入間隙８の閉塞手段１３離脱可能に装置することによって図示の支線ガードＡの使用状態を得られるのである。
【００１２】
前記留め具５は、頭部１０に二又状の挿着片１１を連設して構成したもので、頭部１０と挿着片１１を構成する一対の分岐部片１１ａ，１１ａの中間部に設けた段部１１ａ´，１１ａ´との間の距離を、透孔６，９部で一致させて重ね合わせた芯材１の周壁部片４の板厚とガード本体２の板厚との加算分とほぼ同等にし、前記分岐部片１１ａ，１１ａ間の間隙１２の中央すなわち留め具５の軸線が前記芯材１側の透孔６の仕切り壁７の板厚方向の中央に位置する位置に配してある。
【００１３】
そして、実施形態は、芯材１をガード本体２内に収納して透孔６，９同士を一致させ、外側である、ガード本体２側の透孔９から留め具５の挿着片１１を嵌挿すると、挿着片１１の分岐部片１１ａ，１１ａ間に芯材１側の透孔６の仕切り壁７が係合し、留め具５の押圧操作の続行によって分岐部片１１ａ，１１ａは仕切り壁７のテーパによって強制的に互いに拡開してその先端側が芯材１内に突出し、拡開状態で芯材１の周壁部片４とガード本体２は重合した状態で挿着片１１の段部１１ａ´と留め具頭部１０とによって挟持され、芯材１とガード本体２は互いに組付けられるのである。
【００１４】
【発明の効果】
本発明は、前記の通りの構成であるから、芯材側の透孔の仕切り壁の形状によって押圧操作によって移動させる留め具の挿着片を自動的に拡開させ、拡開させた状態を維持してガード本体と芯材を互いに止着するものであるから、止着操作が簡単で止着状態を確実に維持した装置を提供できる。
【図面の簡単な説明】
【図１】図５のａ−ａ線断面図。
【図２】図１のｂ−ｂ線断面図。
【図３】留め具を装着する前の状態の図１のｂ−ｂ線断面図。
【図４】芯材側の透孔の正面図。
【図５】使用状態の支線ガードの正面図。
【符号の説明】
１      芯材
２      ガード本体
５      留め具
６      透孔
７      仕切り壁
８      出入間隙
９      透孔
１０    頭部
１１    挿着片
１１ａ  分岐部片
ｓ      支線
【図１】
2005009131.tif 000003
【図２】
2005009131.tif 000004
【図３】
2005009131.tif 000005
【図４】
2005009131.tif 000006
【図５】
2005009131.tif 000007